(57)【要約】【課題】床面上を転動する回転体により粘着ロールを連れ回りさせる清掃具において、前進操作性と後進操作性を向上すること。【解決手段】掻き上げ体１６と回転体１８の上に粘着ロール２１を並べて回動自在に配置してなる清掃具１０であって、回転体１８がタイヤ部１８Ｃと、粘着ロール２１に接触する回転子１８Ｂとを有してなり、タイヤ部１８Ｃと回転子１８Ｂの間に、タイヤ部１８Ｃの前進回転力を回転子１８Ｂに伝え、タイヤ部１８Ｃの後進回転力を回転子１８Ｂに伝えない一方向クラッチ６０を設けたもの。【選択図】　図４
2004135808.tif 000002
【特許請求の範囲】
【請求項１】
フレームに掻き上げ体と、粘着ロールを回転させるための回転体を並べて回動自在に支持し、掻き上げ体を進み方向の前方に配置し、掻き上げ体と回転体の上に粘着ロールを並べて回動自在に配置してなる清掃具であって、
回転体がタイヤ部と、粘着ロールに接触する回転子とを有してなり、
タイヤ部と回転子の間に、タイヤ部の前進回転力を回転子に伝え、タイヤ部の後進回転力を回転子に伝えない一方向クラッチを設けた清掃具。
【請求項２】
前記一方向クラッチが、タイヤ部が結合された支軸に固定された爪付き軸と、回転子に設けた爪付き穴とを嵌合し、爪付き軸の爪と爪付き穴の爪とをタイヤ部の前進回転方向においてだけ係合してなる請求項１に記載の清掃具。
【発明の詳細な説明】
【０００１】
【発明の属する技術分野】
本発明は清掃具に関する。
【０００２】
【従来の技術】
清掃具として、フレームに掻き上げ体と、粘着ロールを回転させるための回転体を並べて回動自在に支持し、掻き上げ体と回転体の上に粘着ロールを並べて回動自在に配置してなるものがある（特許文献１）。
【０００３】
特許文献１の清掃具は、カーペット等の床面上を前進だけでなく後進もする。このとき、回転体は、床面上を転動するタイヤ部の回転力を回転子に伝え、これによって回転する回転子により粘着ロールを連れ回りさせ、掻き上げ体が掻き上げる塵埃を粘着ロールの新規粘着面により確実に捕捉可能にする。
【０００４】
【特許文献１】
特開２００２−２０４７７０（２頁、図２）
【０００５】
【発明が解決しようとする課題】
清掃具を床面上で前後進させる清掃動作中、回転体のタイヤ部が後進回転せしめられるとき、粘着ロールは回転子により回転方向を前進回転から後進回転に急激に変えられようとするが、粘着ロールは前進回転の慣性により回転方向が急には変わらず、回転子との間で滑りを生ずる。粘着ロールが回転子の後進回転に対し抵抗力を及ぼすし、粘着ロールが回転子の上でガタガタと跳ね、これらが清掃具の柄を介して使用者の手にも伝わり、操作感を損なう。
【０００６】
本発明の課題は、床面上を転動する回転体により粘着ロールを連れ回りさせる清掃具において、前進操作性と後進操作性を向上することにある。
【０００７】
【課題を解決するための手段】
請求項１の発明は、フレームに掻き上げ体と、粘着ロールを回転させるための回転体を並べて回動自在に支持し、掻き上げ体を進み方向の前方に配置し、掻き上げ体と回転体の上に粘着ロールを並べて回動自在に配置してなる清掃具であって、回転体がタイヤ部と、粘着ロールに接触する回転子とを有してなり、タイヤ部と回転子の間に、タイヤ部の前進回転力を回転子に伝え、タイヤ部の後進回転力を回転子に伝えない一方向クラッチを設けたようにしたものである。
【０００８】
【発明の実施の形態】
清掃具１０は、図１、図２に示す如く、柄１１の先端部に継手部１２を介して支持アーム１３を結合し、支持アーム１３の両側アーム部１３Ａに支軸部１４を介してフレーム１５を該清掃具１０の清掃動作進み方向の前後方向に揺動自在に支持している。
【０００９】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１０】
掻き上げ体１６は、支軸１６Ａと、支軸１６Ａの軸方向の全長に渡って植設されたブラシからなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置され、床面上を転動する。
【００１１】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、床面上を転動する。
【００１２】
掻き上げ体１６と回転体１８の回転子１８Ｂの上には、それらに跨がる粘着ロール２１が乗せられる。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１３】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、回転体１８の回転子１８Ｂの下方の前後に渡る範囲に延在される凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ受け部２３Ｃに送り込む。
【００１４】
清掃具１０では、塵取部２３をフレーム１５に対し、掻き上げ体１６とは独立に上下に揺動可能に支持するとともに、塵取部２３のゴミ受け部２３Ｃをフレーム１５から開放可能に支持した。
【００１５】
具体的には、塵取部２３における掻き上げ体１６に近い側の前側端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後側端に設けた係脱部５０の孔５１を、フレーム１５に設けた係脱可能ピン５２に係脱可能にし、孔５１を係脱可能ピン５２から外して塵取部２３の後側端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００１６】
清掃具１０では、前述した如く、回転体１８が支軸１８Ａと回転子１８Ｂとからなるものにしたから、下記（ａ）、（ｂ）の構成を具備することになる。尚、回転体１８の支軸１８Ａ及び回転子１８Ｂは、フレーム１５と塵取部２３に挟まれる空間に配置される。
【００１７】
（ａ）回転体１８の支軸１８Ａは、回転子１８Ｂが固定されていない部分で、粘着ロール２１と大きな隙間を介して離隔する（図２）。
【００１８】
（ｂ）回転体１８の支軸１８Ａは、回転子１８Ｂが固定されていない部分で、塵取部２３（ゴミ受け部２３Ｃの底面２３Ｄ）と、大きな隙間を介して離隔する（図１）。尚、ゴミ受け部２３Ｃの底面２３Ｄのうち、回転子１８Ｂに相対する部分は円弧状くぼみ部２３Ｅとされる。
【００１９】
ここで、回転体１８の回転子１８Ｂは、シリコンゴム製Ｏリング等の環状リング１８Ｄを外周に備える。環状リング１８Ｄは回転子１８Ｂに設けた環状溝に装填される。
【００２０】
清掃具１０による清掃動作は以下の通りなされる。
（１）柄１１の軸方向に加える操作力により清掃具１０を前進させ、掻き上げ体１６及び回転体１８を回動させ、同時にこれらの掻き上げ体１６、回転体１８の回転に粘着ロール２１を連れ回り回転させる。
【００２１】
（２）掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００２２】
（３）透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２３】
尚、清掃具１０は前進（掻き上げ体１６を進み方向の前方に、回転体１８を進み方向の後方に配置する）だけでなく、後進もできる。塵取部２３は、底面部２３Ａの尾端部をアール状に跳ね上げ、後進時にこの尾端部が床面に引掛かるのを防止する。
【００２４】
清掃具１０にあっては、回転体１８において、図３、図４に示す如く、回転子１８Ｂとタイヤ部１８Ｃの間に、タイヤ部１８Ｃの前進回転力Ｆａを支軸１８Ａから回転子１８Ｂに伝え、タイヤ部１８Ｃの後進回転力Ｆｂを支軸１８Ａから回転子１８Ｂに伝えない一方向クラッチ６０を設けている。
【００２５】
一方向クラッチ６０は、タイヤ部１８Ｃが固定される支軸１８Ａに固定された爪付き軸６１と、回転子１８Ｂに設けた爪付き穴６２とを嵌合し、爪付き軸６１の周方向複数位置（本実施形態では２位置）で半径方向の外径側に張り出し状にしたスプリング爪６１Ａと、爪付き穴６２の周方向複数位置（本実施形態では２位置）で半径方向の内径側に張り出し状にした爪６２Ａとをタイヤ部１８Ｃ、支軸１８Ａの前進回転方向においてだけ係合させた。尚、支持１８Ａは丸棒状の円形断面部７１の両端部を扁平部７２の如くに扁平加工し、この扁平部７２にタイヤ部１８Ｃと爪付き軸６１を固定的に設ける。
【００２６】
本実施形態では、爪付き軸６１のスプリング爪６１Ａを該爪付き軸６１の前進回転の進み方向に突き出し状に延在させるとともに、半径方向の内外に弾性変形可能にし、自由状態で爪付き穴６２の爪６２Ａの最小内径部より半径方向の外方に位置付け、スプリング爪６１Ａを前進回転方向で爪６２Ａに係合可能にする。また、爪付き軸６１のスプリング爪６１Ａを爪付き穴６２の爪６２Ａの最小内径部より半径方向の内方に弾発変形可能にし、スプリング爪６１Ａを後進回転方向で爪６２Ａの内周に摺接させ、爪付き軸６１を空転可能にする。
【００２７】
一方向クラッチ６０は、図３に示す如く、回転子１８Ｂの爪付き穴６２に設けたガイド孔６２Ｂを、爪付き軸６１のガイド軸６１Ｂに半径方向のガタなく、相対回転可能に嵌合する。また、回転子１８Ｂを、爪付き軸６１のフランジ部６１Ｃと、支軸１８Ａにおける円径断面図７１と扁平部７２の段差部７３との間で、軸方向に不動となるように挟持する。
【００２８】
尚、一方向クラッチ６０は、爪付き穴６２の爪６２Ａをスプリング爪としても良い。
【００２９】
本実施形態によれば以下の作用がある。
（請求項１に対応する作用）
▲１▼清掃具１０をカーペット等の床面上で前後進させる清掃動作中、回転体１８のタイヤ部１８Ｃが後進回転せしめられるとき、タイヤ部１８Ｃの後進回転力は一方向クラッチ６０の存在により回転子１８Ｂに伝えられず、回転子１８Ｂは回転自由になる。このため、粘着ロール２１は回転子１８Ｂにより回転方向を前進回転から後進回転に変えられる如くがなく、粘着ロール２１は前進回転の慣性により回転方向を変えずに回転子１８Ｂとともに前進回転し続け、回転子との間で滑りを生じない。その後、粘着ロール２１は慣性の消失とともに回転停止し、或いは掻き上げ体１６の後進回転につれて後進回転する。
【００３０】
尚、回転体１８のタイヤ部１８Ｃが再び前進回転せしめられると、タイヤ部１８Ｃの前進回転力が一方向クラッチ６０の存在により回転子１８Ｂを前進回転させ、この回転子１８Ｂの前進回転によって粘着ロール２１を前進回転せしめようとする。このとき、粘着ロール２１の後進回転の慣性は小さく、粘着ロール２１は回転子１８Ｂとの間で滑りを生ずることなく、スムースに回転子１８Ｂに連れ回って前進回転に変わる。
【００３１】
▲２▼清掃具１０の前後進時に、上述▲１▼により、回転体１８の回転子１８Ｂと粘着ロール２１との間で滑りを生ずることがなく、粘着ロール２１が回転子１８Ｂの回転に対し抵抗力を及ぼさないし、粘着ロール２１が回転子１８Ｂの上で跳ねることもなく、前進操作性と後進操作性を併せ向上する。
【００３２】
（請求項２に対応する作用）
▲３▼一方向クラッチ６０を、爪付き軸６１と爪付き穴６２の嵌合体により簡易に構成でき、コスト低減できる。
【００３３】
尚、本発明の一方向クラッチは、ラチェット車装置、摩擦爪装置等の各種機構を採用できる。
【００３４】
【発明の効果】
本発明によれば、床面上を転動する回転体により粘着ロールを連れ回りさせる清掃具において、前進操作性と後進操作性を向上することができる。
【図面の簡単な説明】
【図１】図１は清掃具を示す模式側面図である。
【図２】図２は清掃具を示す模式平面図である。
【図３】図３は一方向クラッチを示す断面図である。
【図４】図４は一方向クラッチのクラッチ動作を示す、図３のＩＶ−ＩＶ線に沿う断面図である。
【符号の説明】
１０　清掃具
１５　フレーム
１６　掻き上げ体
１８　回転体
１８Ａ　支軸
１８Ｂ　回転子
１８Ｃ　タイヤ部
２１　粘着ロール
６０　一方向クラッチ
６１　爪付き軸
６１Ａ　爪
６２　爪付き穴
６２　爪
【図１】
2004135808.tif 000003
【図２】
2004135808.tif 000004
【図３】
2004135808.tif 000005
【図４】
2004135808.tif 000006